(57)【特許請求の範囲】
【請求項１】
昇降装置と、この昇降装置にその一端が設けられたワイヤーロープと、このワイヤーロープが架けられ、天井に固定配置された定滑車と、この定滑車を介してワイヤーロープの他端が取り付けられたバトンとを備えた吊物機構において、前記バトンが分割可能とされ、分割する側のバトンの一部に滑車を設け、この滑車に前記ワイヤーロープを架け、さらに前記ワイヤーロープの他端を前記分割する側のバトンの一部又は天井から所定間隔を存した下方に位置する葡萄棚に適宜選択的に引っかけるように構成したことを特徴とする吊物機構。
【請求項２】
ワイヤーロープの他端を分割する側のバトンの一部又は天井から所定間隔を存した下方に位置する葡萄棚に適宜選択的に引っかける際、分割する側のバトンの一部にその一端を設け、前記葡萄棚にその他端を引っかける落下防止ロープを有した落下防止機構を備えたことを特徴とする請求項１記載の吊物機構。
【発明の詳細な説明】
【０００１】
【発明の属する技術分野】
本発明は、吊物の長短尺の変更に容易に対応することができると共に、バトンを分割して異なる高さ位置で吊物を吊り下げることが可能な吊物機構に関するものである。
【０００２】
【従来の技術】
例えば劇場やホール、アリーナなどの舞台天井から、舞台演出に使用される幕類、舞台装置、大道具、照明器具、音響設備など（以下、これらを総称して吊物という）を吊り下げて、必要に応じて吊物を昇降させる吊物機構は、以下のように構成されている。
【０００３】
吊物機構は、舞台袖に配置された昇降装置と、この昇降装置にその一端が設けられたワイヤーロープと、このワイヤーロープが架けられ、天井に固定配置された滑車と、この滑車を介してワイヤーロープの他端が取り付けられたバトンとを有している。
【０００４】
上記構成の吊物機構において、バトンは、舞台の手前−奥方向に平行に複数配列され、それぞれのバトンに異なる吊物を吊り下げている。そして、吊物機構は、演目ごとに、あるいは演目の場面ごとにバトンを昇降させて舞台上（＝観客から見える舞台空間全体を意味する）に吊物を出現させたり、退避させたりする。
【０００５】
ところで、従来の吊物機構においては、バトンが、舞台の左右方向に連続しており、つまり分割されていなかったので、例えば舞台の左右方向一方側に仮設大臣囲取合部がある場合には、下降してきたバトン（吊物）が仮設大臣囲取合部の上部に当たって舞台の目的とする位置まで下降しないといった不具合があった。
【０００６】
そこで、従来は、舞台の左右方向に連続するバトンを分割し、分割した各々をそれぞれの昇降装置で駆動して対処したり、舞台中央に位置するのバトンの、左右両端に、脱着延長可能なバトンを設けることで対処していた。
【０００７】
これらのようにすれば、仮設大臣囲取合部の上方に位置するバトンと、舞台の中央に位置するバトンとを別々に駆動したり、予め仮設大臣囲取合部上方に位置するバトンを中央に位置するバトンから外して使用しないようにすることができるので、仮設大臣囲取合部が舞台にあっても、該仮設大臣囲取合部を避けてそれ以外の部分に位置するバトンのみを舞台の目的とする位置まで下降させることができる。
【０００８】
【発明が解決しようとする課題】
しかしながら、上記したように、バトンを分割して各々の分割したバトンをそれぞれに対応した昇降装置を用いて駆動する場合は、昇降装置を増設する分だけコストアップとなり、また、舞台の設備全体が複雑となり故障の原因を増やすことになる。
【０００９】
また、脱着可能なバトンを有した場合は、中央に位置するバトンから取り外したバトンは使用しないので、その際には、例えば天井から所定間隔を存した下方に設けた格子状の作業床（以下、葡萄棚という）に該取り外したバトンを取り付けておかなければならず、このときには、ワイヤーロープが垂れ下がって舞台に現れたりしないように該ワイヤーロープを処理する手間がかかるといった問題や、また、ワイヤーロープが弛んで滑車から外れてしまうといった問題も生じる。
【００１０】
本発明は、上記の問題を解決するものであり、１つのバトンに複数の昇降装置を使用する必要がなく、また、分割したバトンを吊り下げるためのワイヤーロープが垂れ下がって舞台に現れてしまったり、ワイヤーロープが弛んで滑車から外れてしまうことなく、バトンを分割して、吊物の長短尺の変更に対応することができると共に、バトンを分割して異なる高さで吊物を吊り下げることができる吊物機構を提供することを目的とする。
【００１１】
【課題を解決するための手段】
上記の目的を達成するために、本発明の吊物機構は、バトンを分割可能とし、分割する側のバトンの一部に滑車を設け、この滑車にワイヤーロープの他端を架け、さらに、このワイヤーロープの他端を、葡萄棚又は分割する側のバトンの一部に適宜選択的に引っかけるようにしたのである。
【００１２】
このようにすれば、分割するバトンは、ワイヤーロープの他端を葡萄棚に引っかければ、滑車は動滑車として作用するので通常に昇降するバトンより短い昇降ストロークとすることができ、また、バトンを分割しない場合は、ワイヤーロープの他端を分割するバトンの一部に引っかければ、滑車は定滑車として作用するので１本のバトンとして通常に昇降させることができる。
【００１３】
【発明の実施の形態】
本発明の吊物機構は、昇降装置と、この昇降装置にその一端が設けられたワイヤーロープと、このワイヤーロープが架けられ、天井に固定配置された定滑車と、この定滑車を介してワイヤーロープの他端が取り付けられたバトンとを備えた吊物機構において、バトンが分割可能とされ、分割する側のバトンの一部に滑車を設け、この滑車にワイヤーロープを架け、さらにワイヤーロープの他端を分割する側のバトンの一部又は天井から所定間隔を存した下方に位置する葡萄棚に適宜選択的に引っかけるように構成したものである。
【００１４】
本発明において、以下、分割する側のバトンを「分割バトン」と、分割される側のバトンを「通常バトン」ということとする。そして、上記構成において、本発明の吊物機構は、例えば通常に使用するときは、通常バトンに分割バトンを装着して１本化している。このとき、分割バトンの一部には、滑車にワイヤーロープが架けられた状態で、該ワイヤーロープの他端が引っかけられている。
【００１５】
また、例えば舞台の左又は右方向の隅に仮設大臣囲取合部がある場合は、通常バトンに対して左又は右位置の分割バトンを分割し、上記で分割バトンに引っかけておいたワイヤーロープの他端を、滑車にワイヤーロープが架けられた状態で、今度は葡萄棚に引っかける。
【００１６】
このようにすれば、ワイヤーロープの他端が滑車で折り返されて葡萄棚に引っかけられるため、滑車が動滑車として作用し、分割バトンの昇降ストロークが短くなり、通常バトンを最下位置まで下降させても、通常バトンの昇降ストロークの途中位置までしか分割バトンが下降しない。従って舞台の左又は右方向の隅にある仮設大臣囲取合部に分割バトン（吊物）が当たることがない。また、分割バトンと通常バトンとを一体とし、ワイヤーロープの他端を、分割バトンの一部に引っかければ、滑車が定滑車として作用して、通常の昇降駆動が可能となる。
【００１７】
さらに、上記したように通常バトンと分割バトンとを分割したときは、分割バトンは通常バトンに対して昇降ストロークが短くなるだけで、通常バトンと共に昇降が行われるので、分割バトンを昇降駆動させるための別途の昇降装置を必要としない。
【００１８】
また、本発明は、上記構成において、ワイヤーロープの他端を分割する側のバトンの一部又は天井から所定間隔を存した下方に位置する葡萄棚に適宜選択的に引っかける際、分割する側のバトンの一部にその一端を設け、葡萄棚にその他端を引っかける落下防止ロープを有した落下防止機構を備えたものである。
【００１９】
このようにすることで、分割バトンにおいて、ワイヤーロープの他端を葡萄棚と該分割バトンとに引っかける操作を行う際、ワイヤーロープの他端がいずれにも引っかけることができずに分割バトンが落下するといった事故を防止することができる。
【００２０】
【実施例】
以下に本発明の吊物機構の実施例について図面を参照して説明する。
図１は、本発明の吊物機構の概略構成を示す。図２は、葡萄棚周辺にあるバトンを示す。図３は、分割バトンと通常バトンの装着状態を示す。図４は、葡萄棚に位置する分割バトンを示す。
【００２１】
図において、１は、例えば不図示の昇降装置によって吊物を舞台上に出現又は退避させる吊物機構であり、以下のように構成されている。２は、昇降装置にその一端が設けられたワイヤーロープである。３は、舞台左右方向に所定間隔を存して天井Ｔに複数個が固定配置され、ワイヤーロープ２を架けた定滑車である。
【００２２】
４は、定滑車３を介してワイヤーロープ２の他端が取り付けられたバトンであり、このバトン４は、ワイヤーロープ２の他端を水平調整用のターンバックル４Ａａを介して固定的に取付けた通常バトン４Ａと、この通常バトン４Ａから分割したときにワイヤーロープ２の他端を選択的に引っかけることができる分割バトン４Ｂとからなり、例えば本実施例では、観客席から舞台を見たときに左側の端部を分割バトン４Ｂとしている。
【００２３】
通常バトン４Ａと分割バトン４Ｂとは、分割又は一体化を可能とするために、例えば図３のように構成している。通常バトン４Ａと分割バトン４Ｂとは、間隔を存して設けられており、通常バトン４Ａと分割バトン４Ｂとを一体化するときには、これらの間にスライドパイプ４Ｃを介設する。
【００２４】
スライドパイプ４Ｃは、分割バトン４Ｂを通常バトン４Ａから分割したときに該分割バトン４Ｂに内嵌状に収納される。また、スライドパイプ４Ｃは、分割バトン４Ｂから突出させたときに、その一端が分割パイプ４Ｂの端部においてそれ以上の突出を禁止するためのストッパ４Ｃａが形成されている。一方、分割バトン４Ｂの一端部の内周には、ガイドブッシュ４Ｂａが設けられており、このガイドブッシュ４Ｂａの奥端面にストッパ４Ｃａが当接することで、スライドパイプ４Ｃが分割バトン４Ｂから抜けないようになっている。
【００２５】
そして、分割バトン４Ｂの一端部には、スライドパイプ４Ｃを突出させたとき又は収納したときに、不用意に分割バトン４Ｂから突出したり退入しないようにスライドパイプ４Ｃを固定するためのセットボルト４Ｂｂを設けている。このセットボルト４Ｂｂは、分割バトン４Ｂの一端部の不図示の孔に螺入されてスライドパイプ４Ｃを締め付けて位置固定する。
【００２６】
また、スライドパイプ４Ｃの他端外周には、該スライドパイプ４Ｃを分割バトン４Ｂに退入したときに、それ以上の退入を禁止するためのストッパ４Ｃｂが形成されており、また、その他、後述するガイドピン４Ｃｅが挿入される位置決孔４Ｃｃ、及び後述する芯パイプ４Ｄのガイド溝４Ｄａに案内される突起４Ｃｄがスライドパイプ４Ｃの他端内周に形成されている。
【００２７】
一方、通常バトン４Ａの一端部には芯パイプ４Ｄの一部が嵌入されており、この芯パイプ４Ｄの他端部外周と通常バトン４Ａの内周とは溶接されている。芯パイプ４Ｄは、スライドパイプ４Ｃが外嵌され、その周面に、スライドパイプ４Ｃの位置決孔４Ｃｃを介してガイドピン４Ｃｅが挿入される不図示の位置決孔と、該スライドパイプ４Ｃの突起４Ｃｄをガイドするためのガイド溝４Ｄａとが形成されている。
【００２８】
５は、本実施例では分割バトン４Ｂを支持する支持部材６に設けられた滑車であり、この滑車５は、ワイヤーロープ２の他端が常に架けられた状態とされている。また、支持部材６は、滑車５を設けている他、分割バトン４Ｂを吊り下げるワイヤーロープ２の他端部に設けられたカラビナ２Ａを引っかけるための固定ピン６ａ、及び後述する落下防止機構７を有している。
【００２９】
７は、支持部材６に設けられた落下防止機構であり、この落下防止機構７は、分割バトン４Ｂの昇降ストロークを変更する際に、ワイヤーロープ２のカラビナ２Ａを、支持部材６の固定ピン６ａに、また後述する葡萄棚８に設けた分割バトン保持部材８Ａの固定ピン８ｃに引っかけたりするといった作業中に、分割バトン４Ｂが落下しないようにするためのものである。
【００３０】
落下防止機構７は、図４に示すように、支持部材６の上端部に設けられた保持具７ａと、この保持具７ａにその一端が取り付けられた落下防止ロープ７ｂとからなる。落下防止ロープ７ｂの他端には、カラビナ７ｃが設けられている。また、保持具７ａは、その一部に、落下防止ロープ７ｂの一端部を設けており、またその他部に、未使用状態の落下防止ロープ７ｂの他端部のカラビナ７ｃを係合させるための係合孔７ｄが形成されている。
【００３１】
８は、天井Ｔより下方に所定間隔を存して格子状に設けられた葡萄棚であり、この葡萄棚８上で、各種舞台演出上の吊物や照明などの調整作業を行う。葡萄棚８の適所には、図４に示すように、分割バトン保持部材８Ａが設けられており、この分割バトン保持部材８Ａは、落下防止ロープ７ｂの他端のカラビナ７ｃを引っかけるための固定ピン８ａが形成されている他、落下防止ロープ７ｂを固定ピン８ａまで導くためのガイドピン８ｂ、ワイヤーロープ２の他端のカラビナ２Ａを引っかけるための固定ピン８ｃが設けられている。
【００３２】
上記構成の吊物機構１は、以下のように動作させる。例えば図１に示すように観客側から見た舞台の左側に仮設大臣囲取合部Ｐを設ける場合、舞台の左右方向に１本化されたバトン４を降下させると、吊物が仮設大臣囲取合部Ｐに当たってしまうので、該仮設大臣囲取合部Ｐを舞台上に設ける前に、次のように準備しておく。
【００３３】
いま、バトン４は、次のようにして１本化されている。つまり、通常バトン４Ａと分割バトン４Ｂとは、セットボルト４Ｂｂを緩めてスライドパイプ４Ｃを分割バトン４Ｂから突出させ、スライドパイプ４Ｃの突起４Ｃｄを芯パイプ４Ｄのガイド溝４Ｄａに案内させつつ、通常バトン４Ａの一端部の端面に当接するまで、スライドパイプ４Ｃの他端を芯パイプ４Ｄに外嵌する。
【００３４】
そして、スライドパイプ４Ｃの位置決孔４Ｃｃ及び芯パイプ４Ｄの位置決孔を位置合わせしてガイドピン４Ｃｅを挿入する。その後、分割バトン４Ｂのセットボルト４Ｂｂを締めてスライドパイプ４Ｃが移動しないようにする。
【００３５】
いま、バトン４を１本化している状態において、分割バトン４Ｂを吊るワイヤーロープ２の他端のカラビナ２Ａは、滑車５にワイヤーロープ２が架けられた状態で支持部材６の固定ピン６ａに引っかけられているので、滑車５は定滑車として作用し、分割バトン４Ｂの昇降ストロークは、通常バトン４Ａと同じである。また、このとき、落下防止機構７は、落下防止ロープ７ｂの先端のカラビナ７ｃが保持具７ａの係合孔７ｄに係合している。
【００３６】
続いて、上記のようにバトン４を１本化した状態でバトン４を最下位置まで、下降させてバトン４を通常バトン４Ａと分割バトン４Ｂとに分割する。通常バトン４Ａと分割バトン４Ｂとを分割するには、ガイドピン４Ｃｅをスライドパイプ４Ｃの位置決孔４Ｃｃ及び芯パイプ４Ｄの位置決孔から抜き、セットボルト４Ｂｂを緩めた後、ストッパ４Ｃｂが分割バトン４Ｂの一端部に当接するまで、スライドパイプ４Ｃを分割バトン４Ｂ内に収納し、この後、セットボルト４Ｂｂを締めてスライドパイプ４Ｃが移動しないようにする。
【００３７】
そして、バトン４を通常バトン４Ａと分割バトン４Ｂとに分割した後、今度は、通常バトン４Ａと分割バトン４Ｂを共に葡萄棚８位置まで上昇させる。この後、舞台上に仮設大臣囲取合部Ｐを設ける。このとき、葡萄棚８まで上昇させた分割バトン４Ｂ側において、保持具７ａの係合孔７ｄに係合させていた落下防止ロープ７ｂの先端のカラビナ７ｃを、該係合孔７ｄから外し、ガイドピン８ｃに架けた後、分割バトン保持部材８Ａの固定ピン８ａに引っかける。
【００３８】
続いて、ワイヤーロープ２の先端のカラビナ２Ａを、支持部材６の固定ピン６ａから外し、滑車５にワイヤーロープ２が架けられた状態で分割バトン保持部材８Ａの固定ピン８ｃに引っかける。そして、再び、落下防止ロープ７ｂの先端のカラビナ７ｃを、分割バトン保持部材８Ａの固定ピン８ａから外し、保持具７ａの係合孔７ｄに係合させる。
【００３９】
上記の後、通常バトン４Ａ及び分割バトン４Ｂを下降させる。このとき、ワイヤーロープ２の先端のカラビナ２Ａが葡萄棚８における分割バトン保持部材８Ａの固定ピン８ｃに引っかけられているので、滑車５は動滑車として作用し、通常バトン４Ａが最下位置まで下降しても、本実施例の場合、分割バトン４Ｂは該通常バトン４Ａの半分の位置までしか下降しない。従って、分割バトン４Ｂ（吊物）が仮設大臣囲取合部Ｐに当たることがない。
【００４０】
なお、通常バトン４Ａと分割バトン４Ｂとを再度１本化して使用するには、通常バトン４Ａ及び分割バトン４Ｂとを最上位置まで上昇させ、落下防止ロープ７ｂの先端のカラビナ７ｃを、分割バトン保持部材８Ａの固定ピン８ａに引っかけた後、ワイヤーロープ２の先端のカラビナ２Ａを分割バトン保持部材８Ａの固定ピン８ｃから外し、支持部材６の固定ピン６ａに引っかける。
【００４１】
続いて、落下防止ロープ７ｂの先端のカラビナ７ｃを、保持具７ａの係合孔７ｄに係合させる。この状態で、ワイヤーロープ２の先端が支持部材６に位置することとなり、滑車５が定滑車として作用することとなり、通常バトン４Ａと分割バトン４Ｂとが同じ昇降ストロークとなる。
【００４２】
そして、仮設大臣囲取合部Ｐを舞台から撤去した後、通常バトン４Ａと分割バトン４Ｂとを最下位置まで下降させ、通常バトン４Ａと分割バトン４Ｂとを１本化する。
【００４３】
このように、吊物機構１は、バトン４を分割可能とし、分割バトン４Ｂに滑車５を設けて、この滑車５にワイヤーロープ２を架けた状態で、ワイヤーロープ２の先端を葡萄棚８の分割バトン保持部材８Ａ又は支持部材６に、適宜選択的に引っかけるようにしたので、舞台に仮設大臣囲取合部Ｐがある場合は、分割バトン４Ｂの昇降ストロークを通常バトン４Ａの昇降ストロークより短くすることができ、また、異なる昇降操作を１台の昇降装置によって行うことができる。
【００４４】
従って、吊物機構１は、吊物（分割バトン４Ｂ）が仮設大臣囲取合部Ｐに当たることがなく、また、バトン４を分割して吊物の長短尺に容易に対応することができると共に、分割したバトン４を各々異なる高さで吊って昇降させることができる。
【００４５】
また、吊物機構１は、分割バトン４Ｂの支持部材６において、落下防止機構７を設けているので、分割バトン４Ｂの昇降ストロークを変更する際の上記した操作の際に、誤って分割バトン４Ｂを葡萄棚８位置から落下させることがなく、安全に操作することができる。
【００４６】
なお、本発明は上記構成に限らず、各種の変形が可能である。例えば上記実施例では、観客側から見た舞台左方向の端部においてバトン４を分割していたが、バトン４を複数分割可能として、各分割バトン４Ｂについて、滑車５、支持部材６、落下防止機構７、分割バトン保持部材８Ａを設ければ、任意の位置でバトン４を分割してそれぞれの昇降ストロークを各々異ならせることができる。
【００４７】
【発明の効果】
以上のように、本発明の吊物機構は、バトンを分割可能とし、分割する側のバトンの一部に滑車を設け、この滑車にワイヤーロープを架け、さらにワイヤーロープの他端を分割する側のバトンの一部又は天井から所定間隔を存した下方に設けた葡萄棚に適宜選択的に引っかけるようにしたので、分割したバトンを複数の昇降装置を用いて駆動する必要がなく、また、バトンを吊り下げているワイヤーロープが垂れ下がって舞台に現れたりすることがなく、かつワイヤーロープが垂れ下がらないように葡萄棚で処理する必要もなく、ワイヤーロープが弛んで滑車から外れることもないといった従来の課題を解決することができ、そのうえ、本発明の吊物機構は、簡単でかつ確実に、バトンを分割して各々の昇降ストロークを変更して、それぞれを異なる高さで昇降させることができると共に、吊物の長短尺に容易に対応させることができる。
【００４８】
また、本発明は、上記構成において、ワイヤーロープの他端を分割する側のバトンの一部又は天井から所定間隔を存した下方に位置する葡萄棚に適宜選択的に引っかける際に、分割する側のバトンの一部にその一端を設け、葡萄棚にその他端を引っかける落下防止ロープを有した落下防止機構を備えたので、バトンを分割して昇降ストロークを変更する操作を安全かつ確実に行うことができる。
【図面の簡単な説明】
【図１】本発明の吊物機構の概略構成を示す図である。
【図２】本発明の吊物機構における葡萄棚周辺を示す図である。
【図３】本発明の吊物機構におけるバトンの詳細を示す図である。
【図４】本発明の吊物機構における葡萄棚周辺の分割バトンを示す図である。
【符号の説明】
１    吊物機構
２    ワイヤーロープ
３    定滑車
４    バトン
４Ａ  通常バトン
４Ｂ  分割バトン
５    滑車
６    支持部材
７    落下防止機構
７ｂ  落下防止ロープ
８    葡萄棚
Ｐ    仮設大臣囲取合部
Ｔ    天井
【図１】
0003834167.tif 000002
【図２】
0003834167.tif 000003
【図３】
0003834167.tif 000004
【図４】
0003834167.tif 000005